(57)【要約】防火、防水、断熱装飾効果のある一体型発泡ガラス板に関し、発泡ガラス板を含み、前記発泡ガラス板の内側には接着層が形成され、外側にはコーティング層が形成され、前記発泡ガラス板は前記接着層により壁面に固定され、前記発泡ガラスの外表面は切断されたレリーフ面である。前記発泡ガラスの外表面は切断されたレリーフ面である。前記コーティング層は、塗料を発泡ガラスの外表面に直接コーティングすることにより形成され、前記発泡ガラス板の厚さは２０〜８００ｍｍであり、前記発泡ガラスの面積は０．０１〜１０平方メートルである。本発明の発泡ガラス板は、各種パターン及び形状に切削して彫刻することができ、レリーフ面に塗料を直ちにコーティングできるので、工程が簡単で、コストが低く、装飾効果に優れ、設置が非常に簡単であり、壁面に簡単な粉塵処理さえ行えば直ちに接着させることができ、接着層は急結有機接着剤を用いるので、工程が簡単で、施工が簡便化であり、労働強度が低く、効率性が高く、緻密度や材質が異なる壁面に適し、接着強度が高く、耐候性が高い。【選択図】図１
2016540137.tif 000002
【特許請求の範囲】
【請求項１】
発泡ガラス板を含み、前記発泡ガラス板の内側には接着層が形成され、外側にはコーティング層が形成され、前記発泡ガラス板は前記接着層により壁面に固定され、前記発泡ガラスの外表面は切断されたレリーフ面であり、前記発泡ガラスの内面は壁体表面の模様にマッチングされた立体面であり、
前記接着層は、急結有機接着剤とアンカーボルト固定部品とから構成され、前記発泡ガラス板とアンカーボルト固定部品の間には前記急結有機接着剤がコーティングされ、
前記発泡ガラス板の側面には前記アンカーボルト固定部品の配置に用いる凹部が形成され、前記凹部の内面には硬質の支持部品が接着し、前記アンカーボルト固定部品と硬質支持部品は点状接触構造であり、前記アンカーボルト固定部品は、金属又は硬質プラスチック素材であり、
前記発泡ガラス板の主要原料は産業廃棄物又は建築廃棄物であり、
前記コーティング層は、塗料を前記発泡ガラスの外表面に直接コーティングすることにより形成され、前記発泡ガラス板の厚さは２０〜８００ｍｍであり、前記発泡ガラスの面積は０．０１〜１０平方メートルであり、
隣接する前記発泡ガラス板間の継ぎ目も前記急結有機接着剤でコーティングされ、
前記急結有機接着剤が耐候性シリコン接着剤又は樹脂類接着剤である
ことを特徴とする防火、防水、断熱装飾効果のある一体型発泡ガラス板。
【発明の詳細な説明】
【技術分野】
【０００１】
本発明は一体型発泡ガラス板に関する。
【背景技術】
【０００２】
従来の一体型発泡ガラス板は、接着層、発泡ガラス及び仕上層の三部分から構成され、発泡ガラスの表面は通常の平面構造であるため、表面に固定された仕上層を設けることによってのみ装飾効果を得ることができるが、仕上層の固定には中間媒質（網状生地など）が必要であるので、工程が複雑でコストが高い。発泡ガラスを壁に固定する場合は接着層を薄く塗る方法がよく用いられるが、用いられる接着層はセメント基材であるため、コンクリート類の粗い壁面には適するが、ガラス、鉄鋼及びその他構造が緻密で滑りやすい壁面では接着効果がよくなく、欠け落ちることが多い。また、施工工程が非常に複雑であり、壁面の粉塵を除去し、その後仕上モルタル（mortar）と接着モルタルを塗って網状生地を接着しなければならず、リベット（rivet）も装着しなければならないので、同様に工程が複雑でコストが高いという欠点がある。従来の建築用断熱装飾材は、建築物に用いられるため建築物の使用過程で様々な原因により亀裂が発生することがあり、従来の美装方法などにおける無機接着剤の断熱装飾材は欠け落ちたり、建築物と共に亀裂が発生して漏水することがある。
【発明の概要】
【発明が解決しようとする課題】
【０００３】
本発明においては、前記一体型発泡ガラス板の工程が複雑でコストが高いという欠点を解決するために、構造が簡単でコストが低く、装飾効果に優れ、広範囲に用いることができる一体型発泡ガラス板を提案する。
【課題を解決するための手段】
【０００４】
上記目的を達成するために、本発明においては次の技術方法を採用した。
【０００５】
本発明は、防火、防水、断熱装飾効果のある一体型発泡ガラス板に関し、発泡ガラス板を含み、前記発泡ガラス板の内側には接着層が形成され、外側にはコーティング層が形成され、前記発泡ガラス板は前記接着層により壁面に固定され、前記発泡ガラスの外表面は切断されたレリーフ面である。
【０００６】
前記コーティング層は塗料を発泡ガラスの外表面に直接コーティングすることにより形成され、前記発泡ガラス板の厚さは２０〜８００ｍｍであり、前記発泡ガラスの面積は０．０１〜１０平方メートルである。
【０００７】
前記接着層は、急結有機接着剤とアンカーボルト固定部品とから構成される。
【０００８】
前記アンカーボルト固定部品は、金属又は硬質プラスチック素材である。
【０００９】
前記発泡ガラス板の縁部の側面には１つ又は複数の前記アンカーボルト固定部品の配置に用いる凹部が形成され、前記凹部の内面には硬質の支持部品が接着する。
【００１０】
前記発泡ガラス板とアンカーボルト固定部品の間には前記急結有機接着剤がコーティングされ、隣接する前記発泡ガラス板間の継ぎ目も前記急結有機接着剤でコーティングされる。
【００１１】
前記急結有機接着剤は、耐候性シリコン接着剤又は樹脂類接着剤である。
【００１２】
前記発泡ガラスの内面は、壁体表面の模様にマッチングされた立体面である。
【発明の効果】
【００１３】
本発明の利点は次の通りである。１．発泡ガラスの生産に用いる主要原料は産業廃棄物又は建築廃棄物であるので、環境にやさしく、経済的で、加工が容易であり、各種パターン及び形状に切削して彫刻することができ、レリーフ面に塗料を直ちにコーティングできるので、工程が簡単で、コストが低く、装飾効果に優れる。２．設置が非常に簡単で、壁面に簡単な粉塵処理さえ行えば直ちに接着させることができ、接着層は急結有機接着剤を用いるため、壁面に簡単な粉塵処理を行えば塗布又はコーティングすることにより直ちに接着させることができるので、工程が簡単で、施工が簡便で、労働強度が低く、効率性が高く、緻密度や材質が異なる壁面に適し、接着強度が高く、耐候性が高い。３．このような一体型発泡ガラス板は、構造が簡単で、重量が軽く、強度が高く、建築壁体の内外の断熱防火装飾に適用することができる。建築物の屋上の断熱防火防水装飾として用いることができるだけでなく、室内の天井の断熱防火装飾として用いることができ、断熱防火効果に優れ、性能が安定している。４．本発明に用いられる耐候性有機接着剤は、建築物に生じる一部の小さな亀裂による引張応力を効果的に遮断することができる。５．本発明は、建築用ＧＲＣ製品を代替することができ、発泡ガラスの強度が高く、重量が軽く、可塑性と安全性に優れ、施工が便利であるなどの特徴を有するので、建築用装飾造形の材料に非常に適している。６．室内の壁や天井として用いることができ、室内の防火、防水、断熱、騒音遮断、装飾材料として用いることができる。
【図面の簡単な説明】
【００１４】
【図１】本発明の実施例１の構造断面図
【図２】本発明の実施例２の構造断面図
【図３】本発明の実施例３の構造断面図
【図４】図１のＡ部分の拡大図
【図５】図２のＢ部分の拡大図
【発明を実施するための形態】
【００１５】
（実施例１）
図１及び図４に示すように、本発明は、防水、防火、断熱、装飾効果のある一体型発泡ガラス板に関し、発泡ガラス板１を含み、前記発泡ガラス板の内側には接着層が形成され、外側にはコーティング層２が形成され、前記発泡ガラス板は接着層により壁面３に固定され、前記発泡ガラスの外表面は切断されたレリーフ面である。前記コーティング層は塗料を発泡ガラスの外表面に直接コーティングすることにより形成され、発泡ガラス板の厚さは２０ｍｍであり、発泡ガラスの面積は０．０１平方メートルである。前記接着層は、急結有機接着剤４１とアンカーボルト固定部品４２とから構成される。前記アンカーボルト固定部品は金属である。前記発泡ガラス板の縁部の側面には１つ又は複数の前記アンカーボルト固定部品の配置に用いる凹部が形成され、凹部の内面には硬質の支持部品５が接着し、前記アンカーボルト固定部品と硬質支持部品は点状接触構造である。発泡ガラス板とアンカーボルト固定部品の間には前記急結有機接着剤がコーティングされ、隣接する発泡ガラス板間の継ぎ目も急結有機接着剤でコーティングされる。前記急結有機接着剤は耐候性シリコン接着剤である。前記発泡ガラスの内面は、壁体表面の模様にマッチングされた立体面である。
【００１６】
（実施例２）
図２及び図５に示すように、本発明は、防水、防火、断熱、装飾効果のある一体型発泡ガラス板に関し、発泡ガラス板１を含み、前記発泡ガラス板の内側には接着層が形成され、外側にはコーティング層２が形成され、前記発泡ガラス板は接着層により壁面３に固定され、前記発泡ガラスの外表面は切断されたレリーフ面である。前記コーティング層は、塗料を発泡ガラスの外表面に直接コーティングすることにより形成され、発泡ガラス板の厚さは８００ｍｍであり、発泡ガラスの面積は１０平方メートルである。前記接着層は、急結有機接着剤４１とアンカーボルト固定部品４２とから構成される。前記アンカーボルト固定部品は硬質プラスチックである。前記発泡ガラス板の縁部の側面には１つ又は複数の前記アンカーボルト固定部品の配置に用いる凹部が形成され、前記アンカーボルト固定部品と凹部は面状接触構造である。発泡ガラス板とアンカーボルト固定部品の間には前記急結有機接着剤がコーティングされ、隣接する発泡ガラス板間の継ぎ目も急結有機接着剤でコーティングされる。前記急結有機接着剤は樹脂類接着剤である。前記発泡ガラスの内面は壁体表面の模様にマッチングされた立体面である。
【００１７】
（実施例３）
図３に示すように、本発明は、防水、防火、断熱、装飾効果のある一体型発泡ガラス板に関し、発泡ガラス板１を含み、前記発泡ガラス板の内側には接着層が形成され、外側にはコーティング層２が形成され、前記発泡ガラス板は接着層により壁面３に固定され、前記発泡ガラスの外表面は切断されたレリーフ面である。前記コーティング層は、塗料を発泡ガラスの外表面に直接コーティングすることにより形成され、発泡ガラス板の厚さは４００ｍｍであり、発泡ガラスの面積は５平方メートルである。接着層４は急結有機接着剤である。隣接する発泡ガラス板間の継ぎ目は前記急結有機接着剤でコーティングされ、前記急結有機接着剤は耐候性シリコン接着剤である。前記発泡ガラスの内面は壁体表面の模様にマッチングされた立体面である。
【００１８】
上記実施例は本発明の一実施例であり、本発明の趣旨に基づいて適宜変更可能である。
【図１】
2016540137.tif 000003
【図２】
2016540137.tif 000004
【図３】
2016540137.tif 000005
【図４】
2016540137.tif 000006
【図５】
2016540137.tif 000007
【国際調査報告】
2016540137.tif 000008
2016540137.tif 000009
2016540137.tif 000010
2016540137.tif 000011
2016540137.tif 000012
2016540137.tif 000013